(57)【特許請求の範囲】
【請求項１】
便座と、便器内面を洗浄する洗浄水を蓄える貯水タンクと、前記タンクを覆う外装ケースと表示部とを備え、前記外装ケースの上部は、手洗いユニットまたは上蓋との取り替え可能とし、前記外装ケースと前記手洗ユニットと前記上蓋には外周の一部を切り欠いて設けた装着部を備え、前記外装ケースの前記装着部と前記手洗いユニットまたは前記上蓋の前記装着部で前記表示部を挟み込む状態で装着し、前記表示部は搭載した機能が異なる複数の種類を準備し、トイレ洗浄装置が有する機能に合わせて取り替え可能としたトイレ洗浄装置。
【請求項２】
表示部に人体検知センサー配した請求項１記載のトイレ洗浄装置。
【発明の詳細な説明】
【０００１】
【発明の属する技術分野】
本発明は、電源ランプなど、作動状態を表示する機能を備えたトイレ洗浄装置に関するものである。
【０００２】
【従来の技術】
従来、この種のトイレ洗浄装置は、例へば図８に示すように外装ケース１とこれに内蔵され、便器２の内面を洗浄する洗浄水を蓄える貯水タンク（図示せず）と、外装ケース１の上部に脱着可能な状態で載置した手洗いユニツト３、外装ケース１と回動状態で配置した便座４および便蓋５とで構成されている。そして、外装ケース１前面には、トイレ洗浄装置の、例へばトイレ洗浄装置の作動状態を示す電源表示ランプ６を有する表示部７を具えている。なを、８は手洗い水を放出する蛇口を示す。
【０００３】
【発明が解決しようとする課題】
しかしながら、前記従来の構成では、表示部７は、その機種固有の構成、デザインが採用され、機種によって外装ケース１の形状や表示部７もその形状、内容が異なる構成が取られている。
【０００４】
本発明は、前記従来の課題を解決するもので、表示部を交換することで、容易に機種展開を図るトイレ洗浄装置を提供することを目的とする。
【０００５】
【課題を解決するための手段】
前記従来の課題を解決するために、本発明のトイレ洗浄装置は、便座と、便器内面を洗浄する洗浄水を蓄える貯水タンクと、前記タンクを覆う外装ケースとを備え、前記外装ケースの上部は、手洗いユニットまたは上蓋との取り替え可能とし、前記外装ケースと前記手洗い部または上蓋の嵌合部に表示部を配設し、前記表示部は機能別に取り替え可能としたものである。
【０００６】
これによって、表示部を交換することで異なる機能を有するトイレ洗浄装置の提供を容易にすることができる。
【０００７】
【発明の実施の形態】
請求項１に記載の発明は、便座と、便器内面を洗浄する洗浄水を蓄える貯水タンクと、前記タンクを覆う外装ケースと表示部とを備え、前記外装ケースの上部は、手洗いユニットまたは上蓋との取り替え可能とし、前記外装ケースと前記手洗ユニットと前記上蓋には外周の一部を切り欠いて設けた装着部を備え、前記外装ケースと前記手洗い部または前記上蓋の前記装着部で前記表示部を挟み込む状態で装着し、前記表示部は搭載した機能が異なる複数の種類を準備し、トイレ洗浄装置が有する機能に合わせて取り替え可能としたことにより表示部を交換することで異なる機能を有するトイレ洗浄装置を提供することができる。
【０００８】
請求項２記載の発明は、請求項２記載の発明に加えて、表示部に人体センサーを配したものである。この構成により、この構成部を表示部としても人体センサーとしても使用可能となり、機器の機能に対応した製品を提供することができる。
【０００９】
【実施例】
以下本発明の実施例について、図面を参照しながら説明する。
【００１０】
（実施例１）
図１は本発明の実施例におけるトイレ洗浄装置の外観図、図２、図３は同要部の斜視図、図４は手洗いユニットの斜視図、図５、図６は表示部の斜視図、図７上蓋の斜視図を示す。図１から図５に示すように、外装ケース１１とこれに内蔵され、便器１２の内面を洗浄する洗浄水を蓄える貯水タンク１３と、外装ケース１１の上部に着脱可能な状態で載置した手洗いユニツト１４、外装ケース１１と回動状態で配置した便座１５および便蓋１６とで構成している。
【００１１】
また、外装ケース１１には、外周に周壁面１７を形成し、略中央に開口部１８を有し、開口部終端１９を下方に屈曲させ、開口部終端１９を、貯水タンク１３内部に挿入する天面２０を形成している。
【００１２】
そして、外装ケース１１と手洗いユニット１３との嵌合部には、それぞれ装着部ａ２１および装着部ｂ２２を設け、外装ケース１１および手洗いユニット１３と着脱可能とするとともに装着部ａ２１と，装着部ｂ２２に挟み込む状態で、トイレ洗浄装置の作動状態を示す電源表示ランプ２３と、使用者を検知する人体検知センサー２９を有する表示部ａ２４ａを装着している。
【００１３】
一方、天面２０上方に配設する手洗いユニット１４は凹状の水受け部２５および水受け部の最下部に集水孔２６を有する手洗いユニット本体２７と貯水タンク１３側に設け、水道水からの洗浄水の給水をコントロールするボ−ルタップ（図示せず）からホース（図示せず）を介して手洗い水を供給する蛇口２８とで構成し、周壁面１７の外周囲を手洗いユニット本体２７の下端内面で覆う状態で、外装ケース１１と手洗いユニット１３とを、着脱可能な状態としている。そして、図７に示す、同様の着脱部の形状で形成され、手洗い水を吐出する蛇口２８の無い上蓋２９とも交換可能な構成としている。
【００１４】
さらに、図６に示すように、表示部ａ２４ａと略同形状で、例へばトイレ洗浄装置の作動状態を示す電源表示ランプ２３を有する表示部ｂ２４ｂなどと交換可能としている。
【００１５】
以上のように構成されたトイレ洗浄装置について、以下その動作、作用を説明する。
【００１６】
使用後、排水栓（図示せず）を作動させることで、貯水タンク１３内の洗浄水が便器１２内に供給され、便器１２の内面を洗浄するとともに、貯水タンク１３内に洗浄水が供給される。
【００１７】
一方、手洗いユニット１４の蛇口２６にも洗浄水が供給され、洗浄後の排水が集水孔２６および外装ケース１１の天面２０の開口部１８を介して貯水タンク１３内に貯水される。また、トイレ洗浄装置の電源が作動中には電源ランプ２３が点灯し、使用者に視覚的に作動中であることを表示する。また、使用者がトイレに入室した際、人体検知センサー３０により、人体を検知し、便蓋１６を自動的に開放するなどの、所定の動作を開始する。
【００１８】
以上のように本実施例においては、トイレ洗浄装置の有する機能表示などに該当する表示部ａ２４ａあるいは表示部ｂ２４ｂを交換装着することで、専用の外観部品を使用することなく、容易かつ安価に機種展開を図ることができる。すなわち、例へばトイレに使用者が入室した際、人体検知センサー３０で人体を検知し、便蓋１６を自動的に開放する機能を搭載した機種、あるいは、例へば作動中であることを視覚的に表示する電源ランプ２３のみを点灯させる単純な機能を搭載した機種など、表示部以外の外観部品を共用使用することで、容易かつ安価に機種展開を図ることができる。
【００１９】
さらに、天面２０上部は、手洗いユニット１４あるいは上蓋２９のいづれかに交換可能としたことで、使用者の利便性を高めることができる。すなわち、例へば、トイレ内に手洗装置（図示せず）の別設を希望する使用者の場合、トイレ洗浄装置の手洗いユニット１４は不用であり、こようなケースには蛇口２８などのない上蓋２９を載置することで利便性を高めることができる。
【００２０】
【発明の効果】
以上のように、本発明によれば、トイレ洗浄装置の有する機能表示などに該当する表示部のみを交換装着することで、表示部以外の外観部品を共用使用することで、容易かつ安価に機種展開を図ることができる。
【図面の簡単な説明】
【図１】  本発明の実施例１におけるトイレ洗浄装置の外観図斜視図
【図２】  本発明の実施例１におけるトイレ洗浄装置の要部斜視図
【図３】  本発明の実施例１におけるトイレ洗浄装置の要部斜視図
【図４】  本発明の実施例１におけるトイレ洗浄装置の手洗いユニットの斜視図
【図５】  本発明の実施例におけるトイレ洗浄装置の表示部の斜視図
【図６】  本発明の実施例におけるトイレ洗浄装置の表示部の斜視図
【図７】  本発明の実施例におけるトイレ洗浄装置の上蓋の斜視図
【図８】  従来のトイレ洗浄装置の外観斜視図
【符号の説明】
１１  外装ケース
１２  便器
１３  貯水タンク
１４  手洗いユニツト
１５  便座
１７  周壁面
２０  天面
２１  装着部ａ
２２  装着部ｂ
２３  電源表示ランプ
２４ａ  表示部ａ
２４ｂ  表示部ｂ
２７  手洗いユニット本体
２９  上蓋
３０  人体検知センサー
【図１】
0004513212.tif 000002
【図２】
0004513212.tif 000003
【図３】
0004513212.tif 000004
【図４】
0004513212.tif 000005
【図５】
0004513212.tif 000006
【図６】
0004513212.tif 000007
【図７】
0004513212.tif 000008
【図８】
0004513212.tif 000009